(57)【要約】【課題】自動車の音響や空調機器等の操作に用いられるスイッチ装置及びその製造方法に関し、保持が確実で組立も容易なものを提供することを目的とする。【解決手段】上ケース１の下面を覆う下ケース１５に、上方へ突出しアーム部１Ｃ内側面に当接する補強部１５Ａを設けてスイッチ装置を構成することによって、操作体２を上ケース１に装着した後、補強部１５Ａによってアーム部１Ｃが内方へ倒れないように形成されているため、アーム部１Ｃを極端に硬いものとしなくても、操作体２の上ケース１への保持が確実に行えると共に、組立時にも余分な力を必要とせず、容易に組立が可能なものを得ることができる。【選択図】図１
2005251406.tif 000002
【特許請求の範囲】
【請求項１】
上方へ突出するアーム部が形成された上ケースと、この上ケースのアーム部外側面に上下動または揺動可能に装着された操作体と、この操作体の上下動または揺動によって電気的接離を行うスイッチ接点と、上記上ケースの下面を覆う下ケースからなり、上記下ケースに上方へ突出し上記アーム部内側面に当接する補強部を設けたスイッチ装置。
【請求項２】
上ケースのアーム部外側面に操作体を装着した後、上記上ケース下面に下ケースを装着し、補強部を上記アーム部内側面に当接させる請求項１記載のスイッチ装置の製造方法。
【発明の詳細な説明】
【技術分野】
【０００１】
本発明は、主に自動車の音響や空調機器等の操作に用いられるスイッチ装置及びその製造方法に関するものである。
【背景技術】
【０００２】
近年、車室内のフロントパネル部に、様々な操作体を備えたスイッチ装置を配置し、これらによってオーディオやエアコン等の各種電子機器の操作を行うものが増えている。
【０００３】
このような従来のスイッチ装置について、図４及び図５を用いて説明する。
【０００４】
図４は従来のスイッチ装置の断面図、図５は同分解斜視図であり、同図において、１は絶縁樹脂製の上ケースで、上方へ突出する中空筒部１Ａが設けられると共に、この中空筒部１Ａ左右には、先端に外方へ突出する爪部１Ｂが形成された複数のアーム部１Ｃが設けられている。
【０００５】
また、２は絶縁樹脂製の操作体で、左右に形成された複数の通孔２Ａに爪部１Ｂが挿入されて、操作体２が上ケース１のアーム部１Ｃ外側面に上下動可能に装着されている。
【０００６】
そして、３は上下面に複数の導電パターン（図示せず）が形成された配線基板で、上面にはプッシュスイッチ４が実装され、このプッシュスイッチ４の操作部４Ａに、操作体２下面から下方へ突出した押圧部２Ｂが当接している。
【０００７】
さらに、５は絶縁樹脂製の下ケースで、この下ケース５が配線基板３やプッシュスイッチ４を収納した上ケース１の下面を覆って、スイッチ装置が構成されている。
【０００８】
また、操作体２を上ケース１に装着する際には、内周を中空筒部１Ａ外周に合わせて操作体２を上方から押圧すると、操作体２下端が爪部１Ｂの傾斜を押圧するため、アーム部１Ｃが内方へ弾性変形して倒れ、さらに操作体２を下方へ押圧すると、アーム部１Ｃが弾性復帰して爪部１Ｂが通孔２Ａに挿入され、操作体２を上方へ引張っても多少の力では抜けないようにして、操作体２がアーム部１Ｃ外側面に上下動可能に装着される。
【０００９】
そして、このようなスイッチ装置は、車室内のフロントパネル部に装着され、プッシュスイッチ４等が配線基板３を介して、オーディオやエアコン等の各種電子機器や、自動車の電子回路（図示せず）に電気的に接続される。
【００１０】
以上の構成において、操作体２を下方へ押圧操作すると、押圧部２Ｂが操作部４Ａを押圧して、プッシュスイッチ４が電気的に動作し、例えば、オーディオの音量やエアコンの温度等の切換えが行われるように、構成されているものであった。
【００１１】
なお、この出願の発明に関連する先行技術文献情報としては、例えば、特許文献１が知られている。
【特許文献１】特開２００１−２８３６７３号公報
【発明の開示】
【発明が解決しようとする課題】
【００１２】
しかしながら、上記従来のスイッチ装置においては、操作体２の上ケース１への装着をアーム部１Ｃの弾性力によって行っているため、操作体２を簡単に抜けないよう上ケース１へ確実に保持するには、アーム部１Ｃの厚さや幅を大きくし、アーム部１Ｃが多少の力では変形しないようにする必要があるが、このようにアーム部１Ｃを硬くすると、操作体２を上ケース１へ装着する際、余分な力が必要となり組立づらくなるという課題があった。
【００１３】
本発明は、このような従来の課題を解決するものであり、操作体２の保持が確実で、かつ組立も行い易いスイッチ装置及びその製造方法を提供することを目的とする。
【課題を解決するための手段】
【００１４】
上記目的を達成するために本発明は、以下の構成を有するものである。
【００１５】
本発明の請求項１に記載の発明は、上ケースの下面を覆う下ケースに、上方へ突出しアーム部内側面に当接する補強部を設けてスイッチ装置を構成したものであり、操作体を上ケースに装着した後は、補強部によってアーム部が内方へ倒れないように形成されているため、アーム部を極端に硬いものとしなくても、操作体の上ケースへの保持が確実に行えると共に、組立時にも余分な力を必要とせず、容易に組立が可能なスイッチ装置を得ることができるという作用を有する。
【００１６】
請求項２に記載の発明は、上ケースのアーム部外側面に操作体を装着した後、上ケース下面に下ケースを装着し、補強部を上記アーム部内側面に当接させて請求項１記載のスイッチ装置の製作を行うものであり、保持が確実で組立も容易なスイッチ装置を実現することができるという作用を有する。
【発明の効果】
【００１７】
以上のように本発明によれば、保持が確実で組立も容易なスイッチ装置及びその製造方法を実現することができるという有利な効果が得られる。
【発明を実施するための最良の形態】
【００１８】
以下、本発明の実施の形態について、図１〜図３を用いて説明する。
【００１９】
なお、背景技術の項で説明した構成と同一構成の部分には同一符号を付して、詳細な説明を簡略化する。
【００２０】
（実施の形態）
図１は本発明の一実施の形態によるスイッチ装置の断面図、図２は同分解斜視図であり、同図において、１はＡＢＳやポリオキシメチレン等の絶縁樹脂製の上ケースで、上方へ突出する中空筒部１Ａが設けられると共に、この中空筒部１Ａ左右には、先端に外方へ突出する爪部１Ｂが形成された複数のアーム部１Ｃが設けられている。
【００２１】
また、２はＡＢＳやポリカーボネート等の絶縁樹脂製の操作体で、左右に形成された複数の通孔２Ａに爪部１Ｂが挿入されて、操作体２が上ケース１のアーム部１Ｃ外側面に上下動可能に装着されている。
【００２２】
そして、１３は紙フェノールやガラス入りエポキシ等の配線基板で、この上下面には銅箔等によって複数の導電パターン（図示せず）が形成されると共に、上面にはプッシュスイッチ４が実装され、このプッシュスイッチ４の操作部４Ａに、操作体２下面から下方へ突出した押圧部２Ｂが当接している。
【００２３】
さらに、１５はＡＢＳやポリオキシメチレン等の絶縁樹脂製の下ケースで、上面には上方へ突出する板状で複数の補強部１５Ａが設けられ、この補強部１５Ａが配線基板１３の貫通孔１３Ａを挿通すると共に、左右端が上ケース１の左右のアーム部１Ｃ内側面に各々当接している。
【００２４】
そして、この下ケース１５が配線基板１３やプッシュスイッチ４を収納した上ケース１の下面を覆って、スイッチ装置が構成されている。
【００２５】
また、このように構成されたスイッチ装置は、先ず操作体２を、内周を中空筒部１Ａ外周に合わせて上方から押圧すると、操作体２下端が爪部１Ｂの傾斜を押圧するため、アーム部１Ｃが内方へ弾性変形して倒れ、さらに操作体２を下方へ押圧すると、アーム部１Ｃが弾性復帰し爪部１Ｂが通孔２Ａに挿入されて、操作体２がアーム部１Ｃ外側面に上下動可能に装着される。
【００２６】
次に、上ケース１下面に下ケース１５を、配線基板１３の貫通孔１３Ａに補強部１５Ａを挿通させて装着し、補強部１５Ａ左右端が上ケース１の左右のアーム部１Ｃ内側面に各々当接するようにして、スイッチ装置が製作される。
【００２７】
つまり、操作体２を上ケース１に装着する際には、アーム部１Ｃを内方へ弾性変形させて、操作体２がアーム部１Ｃ外側面に装着されるが、下ケース１５が上ケース１下面に装着され、スイッチ装置として完成した状態では、補強部１５Ａがアーム部１Ｃ内側面に当接し、操作体２を上方へ引張ってもアーム部１Ｃが内方へ倒れるのを防ぎ、操作体２が上ケース１へ確実に保持されるように構成されている。
【００２８】
そして、このようなスイッチ装置は、車室内のフロントパネル部に装着され、プッシュスイッチ４等が配線基板１３を介して、オーディオやエアコン等の各種電子機器や、自動車の電子回路（図示せず）に電気的に接続される。
【００２９】
以上の構成において、操作体２を下方へ押圧操作すると、押圧部２Ｂが操作部４Ａを押圧して、プッシュスイッチ４が電気的に動作し、例えば、オーディオの音量やエアコンの温度等の切換えが行われる。
【００３０】
このように本実施の形態によれば、上ケース１の下面を覆う下ケース１５に、上方へ突出しアーム部１Ｃ内側面に当接する補強部１５Ａを設けてスイッチ装置を構成することによって、操作体２を上ケース１に装着した後は、補強部１５Ａによってアーム部１Ｃが内方へ倒れないように形成されているため、アーム部１Ｃを極端に硬いものとしなくても、操作体２の上ケース１への保持が確実に行えると共に、組立時にも余分な力を必要とせず、容易に組立が可能なスイッチ装置及びその製造方法を得ることができるものである。
【００３１】
なお、以上の説明では、操作体２を上ケース１に上下動可能に装着し、操作体２を押圧操作してプッシュスイッチ４を電気的に動作させる構成について説明したが、図３の分解斜視図に示すように、上ケース１１のアーム部１１Ｃに、操作体１２の中間部を揺動可能に装着し、この操作体１２を前後に揺動操作して、複数のプッシュスイッチ４のいずれかを電気的に動作させると共に、下ケース１５に、上方へ突出しアーム部１１Ｃ内側面に当接する補強部１５Ｂを設けた構成としても、本発明の実施は可能である。
【００３２】
さらに、操作体２や１２の上下動または揺動によって電気的接離を行うスイッチ接点として、配線基板１３上面に実装したプッシュスイッチ４を一例として説明したが、可撓性シート下面の可動接点と配線基板上面の固定接点を対向させたものや、配線基板上面の固定接点上に略ドーム状で導電金属薄板製の可動接点を載置したもの等、様々なスイッチ接点においても実施が可能である。
【産業上の利用可能性】
【００３３】
本発明によるスイッチ装置及びその製造方法は、保持が確実で組立も容易なものを実現することができ、主に自動車の音響や空調機器等の操作用として有用である。
【図面の簡単な説明】
【００３４】
【図１】本発明の一実施の形態によるスイッチ装置の断面図
【図２】同分解斜視図
【図３】同他の実施の形態による分解斜視図
【図４】従来のスイッチ装置の断面図
【図５】同分解斜視図
【符号の説明】
【００３５】
１、１１  上ケース
１Ａ  中空筒部
１Ｂ  爪部
１Ｃ、１１Ｃ  アーム部
２、１２  操作体
２Ａ  通孔
２Ｂ  押圧部
４  プッシュスイッチ
４Ａ  操作部
１３  配線基板
１３Ａ  貫通孔
１５  下ケース
１５Ａ、１５Ｂ  補強部
【図１】
2005251406.tif 000003
【図２】
2005251406.tif 000004
【図３】
2005251406.tif 000005
【図４】
2005251406.tif 000006
【図５】
2005251406.tif 000007